(57)【要約】【課題】  従来のシステムは、塾に子供が到着したことは把握できでも、塾に到着した子供の様子までは知ることが出来ないため、塾に行く途中で化粧をしたり、派手な服装に着替えるなど非行の兆候が見られないかを心配する保護者の不安を解消できなかった。【解決手段】  被保護者を識別するＩＤ情報と、通知先端末のアドレス情報を読み取る読取手段３ａと、施設に入退室する被保護者の様子を撮影する画像撮影手段３ｂと、前記画像撮影手段３ｂにより作成された画像ファイルのデータと、前記読取手段３ａにより読み取った前記ＩＤ情報及び前記アドレス情報に基づいて、通知ファイル３ｃ１を作成する通知ファイル作成手段３ｃと、前記通知ファイル３ｃ１を通知先端末に送信する送信手段３ｆを備えた入退室記録通知システム３である。これにより、保護者は、施設に入退室した被保護者の様子を画像により眼で見て確認することができる。【選択図】        図２
2006018407.tif 000002
【特許請求の範囲】
【請求項１】
子供、老人、その他の被保護者が、塾、学校、老人養護施設、その他の施設に入室した情報、あるいは前記施設から退室した情報を、コンピュータ装置を経由して通知先端末に通知するシステムであって、
前記コンピュータ装置は、
前記被保護者を識別するＩＤ情報と、前記通知先端末のアドレス情報を読み取る読取手段と、
前記施設に入室あるいは前記施設から退室する被保護者の様子を撮影する画像撮影手段と、
前記画像撮影手段により作成された画像ファイルのデータと、前記読取手段により読み取った前記ＩＤ情報及び前記アドレス情報に基づいて、前記通知先端末に送信するための通知ファイルを作成する通知ファイル作成手段と、
前記通知ファイルを前記通知先端末に送信する送信手段と、
を備えていることを特徴とする入退室記録通知システム。
【請求項２】
子供、老人、その他の被保護者が、塾、学校、老人養護施設、その他の施設に入室した情報、あるいは前記施設から退室した情報を、通知先端末に通知するためのコンピュータ装置であって、
前記被保護者を識別するＩＤ情報と、前記通知先端末のアドレス情報を読み取る読取手段と、
前記施設に入室あるいは前記施設から退室する被保護者の様子を撮影する画像撮影手段と、
前記画像撮影手段により作成された画像ファイルのデータと、前記読取手段により読み取った前記ＩＤ情報及び前記アドレス情報に基づいて、前記通知先端末に送信するための通知ファイルを作成する通知ファイル作成手段と、
前記通知ファイルを前記通知先端末に送信する送信手段と、
を備えていることを特徴とするコンピュータ装置。
【請求項３】
前記読取手段として、前記ＩＤ情報がＩＣチップに記録されたＩＣタグ付着端末又はＩＣカードを、接触又は非接触で読み取り可能なＩＣタグ読取装置又はＩＣカード読取装置を用いることを特徴とする請求項１記載の入退室記録通知システム、又は、請求項２記載のコンピュータ装置。
【請求項４】
前記画像撮影手段は、前記読取手段の実行を契機として実行され、前記被保護者が、前記ＩＣタグ付着端末又は前記ＩＣカードを、前記ＩＣタグ読取装置又はＩＣカード読取装置に読み取らせた直後の様子を撮影することを特徴とする請求項３記載の入退室記録通知システム、又は、コンピュータ装置。
【請求項５】
前記送信手段は、前記通知ファイルを、インターネットに接続可能なサーバ装置に送信するとともに、
前記サーバ装置は、前記サーバ装置に登録された画像ファイルのデータのＵＲＬアドレスを、前記通知先端末に送信することを特徴とする請求項１記載の入退室記録通知システム。
【請求項６】
前記画像ファイルのデータは、音声データ又は動画を含むことを特徴とする請求項５記載の入退室記録通知システム。
【請求項７】
前記送信手段が所定の時間間隔を空けて定期的に起動される請求項１記載の入退室記録通知システム、又は、請求項２記載のコンピュータ装置であって、
送信処理待ちの通知ファイルを管理するためのキューテーブルを備え、
前記通知ファイル作成手段は、前記通知ファイルを新たに登録するときに、前記キューテーブルのポインタを更新するとともに、
前記送信手段は、前記キューテーブルのポインタを読み込むことにより、未送信の通知ファイルを検出して送信することを特徴とする入退室記録通知システム、又は、コンピュータ装置。
【請求項８】
入退室記録の履歴を管理するためのログファイルを備え、
前記通知ファイル作成手段は、被保護者が入室するときに、ＩＤ情報、日付、入室時刻のデータを前記ログファイルに新規登録し、被保護者が退室するときに、当該被保護者の入室時のログデータに退出時刻のデータを記録するとともに、
システム終了時、その他の任意の時点で、退室時刻のデータが記録されていないデータを抽出して出力する手段を備えたことを特徴とする請求項１記載の入退室記録通知システム、又は、請求項２記載のコンピュータ装置。
【請求項９】
前記ログデータをログファイルに記録するか否かを選択する設定画面に、ログデータの削除処理を実行する日付を指定可能とする入力項目を設けるとともに、すでに記録済みのログデータの削除処理を実行するためのログ整理ボタンが設けられていることを特徴とする請求項１記載の入退室記録通知システム、又は、請求項２記載のコンピュータ装置。
【請求項１０】
前記画像撮影手段において使用するカメラの位置及び設定を調整するための調整モード画面に、前記カメラが撮影した画像データを表示するようにしたことを特徴とする請求項１記載の入退室記録通知システム、又は、請求項２記載のコンピュータ装置。
【請求項１１】
前記ＩＤ情報と前記通知先端末のアドレス情報の対応を記録したデータベースを備え、前記読取手段は、前記データベースにアクセスして、前記アドレス情報を取得することを特徴とする請求項１記載の入退室記録通知システム、又は、請求項２記載のコンピュータ装置。
【請求項１２】
子供、老人、その他の被保護者が、塾、学校、老人養護施設、その他の施設に入室した情報、あるいは前記施設から退室した情報を通知先端末に通知する処理をコンピュータ装置に行わせるためのプログラムであって、
前記被保護者を識別するＩＤ情報と、前記通知先端末のアドレス情報を読み取る読取ステップと、
前記施設に入室あるいは前記施設から退室する被保護者の様子を撮影する画像撮影ステップと、
前記画像撮影ステップにより作成された画像ファイルのデータと、前記読取ステップにより読み取った前記ＩＤ情報及び前記アドレス情報に基づいて、前記通知先端末に送信するための通知ファイルを作成する通知ファイル作成ステップと、
前記通知ファイルを前記通知先端末に送信する送信ステップと、
を前記コンピュータ装置に行わせるための入退室記録通知プログラム。
【請求項１３】
請求項１２記載の入退室記録通知プログラムを記録したコンピュータ読み取り可能な記憶媒体。
【請求項１４】
前記ＩＣタグ付着端末は、ＧＰＳ衛星からの電波に基づいて、前記ＩＣタグ付着端末の位置情報を取得するＧＰＳ部を備えたものであって、前記通知先端末より受信した位置情報送信リクエストに応じて、前記ＧＰＳ部によって取得された位置情報を、前記通知先端末に送信する位置情報送信手段を備えたことを特徴とする請求項３記載の入退室記録通知システム、又は、コンピュータ装置。
【請求項１５】
前記ＧＰＳ部によって取得された位置情報が、サーバ装置を経由して、前記通知先端末に送信される請求項１４記載の入退室記録通知システム、又は、コンピュータ装置であって、前記サーバ装置は、所定の時間間隔を空けて、前記ＩＣタグ付着端末から位置情報を複数回受信することにより前記ＩＣタグ付着端末の移動速度を計算するとともに、前記移動速度を前記通知先端末に送信する移動状況送信手段を備えたことを特徴とする入退室記録通知システム、又は、コンピュータ装置。
【請求項１６】
前記ＧＰＳ部によって取得された位置情報が、サーバ装置を経由して、前記通知先端末に送信される請求項１４記載の入退室記録通知システム、又は、コンピュータ装置であって、前記サーバ装置は、前記ＩＣタグ付着端末より受信した位置情報が、予め登録された指定エリアから逸脱したときに、所定の警告メッセージを前記通知先端末に送信する警告メッセージ送信手段を備えたことを特徴とする入退室記録通知システム、又は、コンピュータ装置。
【請求項１７】
前記ＩＣタグ付着端末は、ＧＰＳ衛星からの電波に基づいて、前記ＩＣタグ付着端末の位置情報を取得するＧＰＳ部を備えたものであって、前記ＩＣタグ付着端末を所持する被保護者に緊急事態が発生したときに、前記ＩＣタグ付着端末からの操作に基づいて、前記位置情報とともに、所定のメッセージを前記通知先端末に送信する通報手段を備えたことを特徴とする請求項３記載の入退室記録通知システム、又は、コンピュータ装置。
【請求項１８】
前記通知先端末からの操作に基づいて、所定の呼び出しメッセージを前記ＩＣタグ付着端末に送信する呼出手段を備えたことを特徴とする請求項１７記載の入退室記録通知システム、又は、コンピュータ装置。
【発明の詳細な説明】
【技術分野】
【０００１】
本発明は、例えば、塾、学校などの教育施設に通う子供や、老人養護施設に通う老人などの被保護者が、その施設に入退室した記録を、保護者が指定する通知先端末に通知することができる入退室記録通知システムに関する。
【背景技術】
【０００２】
昨今、学校の授業が終わった後も学習塾などに通学し、夜の遅い時刻に塾から帰宅する子供が増えている。一方、老人養護施設では、通いで介護サービスを提供するデイサービスが増えている状況にある。
【０００３】
このように、遅くまで塾に通う子供を持つ保護者や、デイサービスを受ける老人の保護者は、子供、老人などの被保護者が、事故に遭うことなく無事に施設に到着しているか、心配を抱くことがある。また、保護者は、被保護者の帰宅時刻に合わせて風呂や食事の準備をする必要があるが、被保護者が施設を退室した時刻が正確に分からないため、不自由を感じている。
【０００４】
また、子供の場合、保護者は、まじめに塾に登校しているか、塾に行くと見せかけて他の場所で遊んでいないか、塾に行く途中で化粧をしたり、派手な服装に着替えるなど非行の兆候が見られないかといったことも、気掛かりとなる。加えて、自分の健康状態をうまく言葉で表現できない老人の場合、保護者は、老人養護施設に到着した老人の健康状態が本当に良好であるか、心配となる。
【０００５】
なお、被保護者に携帯電話機を持たせるという方法もあるが、塾などの施設に入退室する際に必ず保護者に電話するのは、被保護者としては手間であるし、うっかり電話を忘れる場合もある。また、子供に非行の兆候が見られないかという保護者の心配に対しては、電話による連絡だけでは、子供は嘘をつくかも知れず、本当の居場所は把握できないという問題もある。
【０００６】
そこで、従来より、例えば、学校等における学生の出退記録を予め登録した者に対して通知する出退記録管理システムが提案されている。
【特許文献１】特開２００４−４６４５８号公報
【０００７】
具体的には、上記特許文献１には、学籍番号等識別子がＩＣチップに記録されたＩＣカードを接触又は非接触で読み取るＩＣカード読取手段と、前記読み取った学籍番号等識別子に基づいて、前記学生等の出退の記録をその時間と共に出退記録データベースに登録する出退記録登録手段と、前記学生等の出退記録が登録されたことを利用者データベースに格納している通知ルールに基づいて、通知先端末に対して通知する通知手段とを有する出退記録管理システムが開示されている。
【発明の開示】
【発明が解決しようとする課題】
【０００８】
しかしながら、上記した従来のシステムは、塾などの施設に子供が到着したことは把握できでも、塾に到着した子供の様子までは知ることが出来ないため、塾に行く途中で化粧をしたり、派手な服装に着替えるなど非行の兆候が見られないかを心配している保護者の問題を解決するものではなかった。また、単に通知を受け取るだけでは、友人にＩＣカードを貸し渡して代理出席を依頼していても、それを見抜けないという問題もあった。
【０００９】
さらに、自分の健康状態をうまく言葉で表現できない老人についても、老人養護施設に到着したという通知を受け取るだけでは、到着したときの老人の顔色や表情が分からないため、保護者は安心できないという問題があった。
【００１０】
本発明は、上記した従来の問題点に鑑みてなされたものであり、被保護者が施設に入退室した情報を、被保護者の様子とともに、任意の通知先端末に通知することができる入退室記録通知システム、コンピュータ装置、入退室記録通知プログラムを提供することを目的としている。
【課題を解決するための手段】
【００１１】
本発明の入退室記録通知システムは、子供、老人、その他の被保護者が、塾、学校、老人養護施設、その他の施設に入室した情報、あるいは前記施設から退室した情報を、コンピュータ装置を経由して通知先端末に通知するシステムであって、前記コンピュータ装置は、前記被保護者を識別するＩＤ情報と、前記通知先端末のアドレス情報を読み取る読取手段と、前記施設に入室あるいは前記施設から退室する被保護者の様子を撮影する画像撮影手段と、前記画像撮影手段により作成された画像ファイルのデータと、前記読取手段により読み取った前記ＩＤ情報及び前記アドレス情報に基づいて、前記通知先端末に送信するための通知ファイルを作成する通知ファイル作成手段と、前記通知ファイルを前記通知先端末に送信する送信手段と、を備えていることを最も主要な特徴とする。
【００１２】
また、本発明のコンピュータ装置は、子供、老人、その他の被保護者が、塾、学校、老人養護施設、その他の施設に入室した情報、あるいは前記施設から退室した情報を、通知先端末に通知するためのコンピュータ装置であって、前記被保護者を識別するＩＤ情報と、前記通知先端末のアドレス情報を読み取る読取手段と、前記施設に入室あるいは前記施設から退室する被保護者の様子を撮影する画像撮影手段と、前記画像撮影手段により作成された画像ファイルのデータと、前記読取手段により読み取った前記ＩＤ情報及び前記アドレス情報に基づいて、前記通知先端末に送信するための通知ファイルを作成する通知ファイル作成手段と、前記通知ファイルを前記通知先端末に送信する送信手段と、を備えていることを最も主要な特徴とする。
【００１３】
また、本発明の入退室記録通知プログラムは、子供、老人、その他の被保護者が、塾、学校、老人養護施設、その他の施設に入室した情報、あるいは前記施設から退室した情報を通知先端末に通知する処理をコンピュータ装置に行わせるためのプログラムであって、前記被保護者を識別するＩＤ情報と、前記通知先端末のアドレス情報を読み取る読取ステップと、前記施設に入室あるいは前記施設から退室する被保護者の様子を撮影する画像撮影ステップと、前記画像撮影ステップにより作成された画像ファイルのデータと、前記読取ステップにより読み取った前記ＩＤ情報及び前記アドレス情報に基づいて、前記通知先端末に送信するための通知ファイルを作成する通知ファイル作成ステップと、前記通知ファイルを前記通知先端末に送信する送信ステップと、を前記コンピュータ装置に行わせることを最も主要な特徴とする。
【発明の効果】
【００１４】
本発明によれば、学習塾などの施設に入退室した被保護者の記録が、その様子を撮影した画像ファイルのデータとともに保護者の通知先端末に届くため、保護者は、施設に入退室した被保護者の様子を眼で見て確認できるという効果が得られる。
【発明を実施するための最良の形態】
【００１５】
本発明の入退室記録通知システム、コンピュータ装置は、上記のとおりの構成のものであるが、本発明は、より望ましい実施の形態として、以下の構成を採用できる。
【００１６】
先ず、前記入退室記録通知システム、前記コンピュータ装置において、前記読取手段として、前記ＩＤ情報がＩＣチップに記録されたＩＣタグ付着端末又はＩＣカードを、接触又は非接触で読み取り可能なＩＣタグ読取装置又はＩＣカード読取装置を用いるようにすれば、ＩＣチップに登録した情報は、一旦登録した後も自由に変更可能であるため、好適である。なお、接触式でＩＤ情報を読み取る場合には、操作に時間がかかり、生徒数が多い塾などでは入口が混乱するため、読み取り方式は、非接触式を採用する方がより望ましい。
【００１７】
また、上記の場合において、前記画像撮影手段は、前記読取手段の実行を契機として実行され、前記被保護者が、前記ＩＣタグ付着端末又は前記ＩＣカードを、前記ＩＣタグ読取装置又はＩＣカード読取装置に読み取らせた直後の様子を撮影するようにすれば、画像撮影手段を実行する契機を別途設ける必要がなく、施設に入退室するその瞬間の被保護者の様子を保護者に伝えることができるため、さらに好適である。
【００１８】
また、前記入退室記録通知システムにおいて、前記送信手段は、前記通知ファイルを、インターネットに接続可能なサーバ装置に送信するとともに、前記サーバ装置は、前記サーバ装置に登録された画像ファイルのデータのＵＲＬアドレスを、前記通知先端末に送信するようにすれば、通知先端末に記憶容量の大きい画像ファイルのデータを送信する必要がなくなり、通知先端末の性能を低下させることがないので、好適である。すなわち、この場合、保護者は、通知先端末に表示されている前記ＵＲＬアドレスにインターネット経由でアクセスすることにより、前記サーバ装置に登録された被保護者の画像を確認することとなる。
【００１９】
また、上記の場合において、前記画像ファイルのデータは、音声データ又は動画を含むようにすれば、施設に到着した被保護者の声や表情の動きについても保護者に伝えることができるため、さらに好適である。
【００２０】
また、前記入退室記録通知システム、前記コンピュータ装置において、前記送信手段が所定の時間間隔を空けて定期的に起動されるものであって、送信処理待ちの通知ファイルを管理するためのキューテーブルを備え、前記通知ファイル作成手段は、前記通知ファイルを新たに登録するときに、前記キューテーブルのポインタを更新するとともに、前記送信手段は、前記キューテーブルのポインタを読み込むことにより、未送信の通知ファイルを検出して送信するようにすれば、通知ファイル作成手段と、送信手段を、別タスクで効率良く動作させることができるので、好適である。
【００２１】
また、前記入退室記録通知システム、前記コンピュータ装置において、入退室記録の履歴を管理するためのログファイルを備え、前記通知ファイル作成手段は、被保護者が入室するときに、ＩＤ情報、日付、入室時刻のデータを前記ログファイルに新規登録し、被保護者が退室するときに、当該被保護者の入室時のログデータに退出時刻のデータを記録するとともに、システム終了時、その他の任意の時点で、退室時刻のデータが記録されていないデータを抽出して出力する手段を備えるようにすれば、施設に入室した記録はあるが退室した記録のない被保護者を、任意の時点で抽出することができ、保護者からの電話等による問い合わせの対応を容易かつ迅速にできるので、好適である。
【００２２】
また、前記入退室記録通知システム、前記コンピュータ装置において、前記ログデータをログファイルに記録するか否かを選択する設定画面に、ログデータの削除処理を実行する日付を指定可能とする入力項目を設けるとともに、すでに記録済みのログデータの削除処理を実行するためのログ整理ボタンを設けるようにすれば、ログデータの管理が容易となるとともに、すでに記録済みのログデータも簡単に整理できるので、好適である。
【００２３】
また、前記入退室記録通知システム、前記コンピュータ装置において、前記画像撮影手段で使用するカメラの位置及び設定を調整するための調整モード画面に、前記カメラが撮影した画像データを表示するようにすれば、被保護者の表情を最も良く捉えることのできるカメラの位置や設定を、実際の画像を見ながら微調整することができるので、好適である。
【００２４】
また、前記入退室記録通知システム、前記コンピュータ装置において、前記ＩＤ情報と前記通知先端末のアドレス情報の対応を記録したデータベースを備え、前記読取手段は、前記データベースにアクセスして、前記アドレス情報を取得するようにすれば、例えば、祖母が子供の面倒を見る特定の日は、通知先端末のアドレス情報を変更したいという要望に対しても、データベースを更新するだけで、簡単にアドレス情報の変更ができるので、好適である。
【００２５】
また、前記ＩＣタグ付着端末を用いる本発明の入退室記録通知システム、コンピュータ装置において、前記ＩＣタグ付着端末は、ＧＰＳ衛星からの電波に基づいて、前記ＩＣタグ付着端末の位置情報を取得するＧＰＳ部を備えたものであって、前記通知先端末より受信した位置情報送信リクエストに応じて、前記ＧＰＳ部によって取得された位置情報を、前記通知先端末に送信する位置情報送信手段を備えるようにすれば、保護者は、被保護者の入退室記録だけでなく、位置情報も正確に知ることができるので、好適である。
【００２６】
また、前記ＧＰＳ部によって取得された位置情報が、サーバ装置を経由して、前記通知先端末に送信される入退室記録通知システム、コンピュータ装置であって、前記サーバ装置は、所定の時間間隔を空けて、前記ＩＣタグ付着端末から位置情報を複数回受信することにより前記ＩＣタグ付着端末の移動速度を計算するとともに、前記移動速度を前記通知先端末に送信する移動状況送信手段を備えるようにすれば、保護者は、被保護者の位置情報だけでなく、被保護者が、現在、ある場所に静止しているのか、歩行中であるのか、バス、電車などの乗り物に乗っているのかも知ることができるので、さらに好適である。
【００２７】
また、前記ＧＰＳ部によって取得された位置情報が、サーバ装置を経由して、前記通知先端末に送信される入退室記録通知システム、コンピュータ装置であって、前記サーバ装置は、前記ＩＣタグ付着端末より受信した位置情報が、予め登録された指定エリアから逸脱したときに、所定の警告メッセージを前記通知先端末に送信する警告メッセージ送信手段を備えるようにすれば、保護者は、被保護者が指定エリアから逸脱する予定外の行動をとったことを知ることができるので、さらに好適である。
【００２８】
また、前記ＩＣタグ付着端末を用いる本発明の入退室記録通知システム、コンピュータ装置において、前記ＩＣタグ付着端末は、ＧＰＳ衛星からの電波に基づいて、前記ＩＣタグ付着端末の位置情報を取得するＧＰＳ部を備えたものであって、前記ＩＣタグ付着端末を所持する被保護者に緊急事態が発生したときに、前記ＩＣタグ付着端末からの操作に基づいて、前記位置情報とともに、所定のメッセージを前記通知先端末に送信する通報手段を備えるようにすれば、被保護者は、トラブルや事件に巻き込まれそうになったときは、緊急事態の発生を、自分の位置情報とともに、いち早く保護者に通報できるので、好適である。
【００２９】
また、上記の場合において、前記通知先端末からの操作に基づいて、所定の呼び出しメッセージを前記ＩＣタグ付着端末に送信する呼出手段を備えるようにすれば、保護者の側から被保護者を呼び出すことも可能となるので、さらに好適である。
【００３０】
また、本発明の入退室記録通知プログラムは、上記した各手段をコンピュータ装置に実行させるためのステップにより構成されるプログラムであって、例えばＣＤ−ＲＯＭ、ＤＶＤ、磁気ディスク装置等、任意のコンピュータ読み取り可能な記憶媒体に記憶させることができる。
【００３１】
なお、本発明における「通知先端末」の例としては、例えば、コンピュータ端末、ネットワーク機能を備えた携帯電話機、ＰＨＳ等が挙げられる。
【実施例】
【００３２】
以下、本発明の入退室記録通知システムを実施例に基づいてさらに詳細に説明する。本実施例は、本発明を、塾に通う子供の入退室記録を保護者に通知するシステムに適用したものである。
なお、図１は、本発明の入退室記録通知システムの全体構成を説明する図、図２は、本発明の入退室記録通知システムの処理概要を説明する図、図３は、メイン画面の構成を説明する図、図４は、図３のメニューバーの説明図、図５は、通知ファイルのデータを作成する手順を説明する図、図６は、キューテーブルの構成を説明する図、図７は、ログテーブルの構成を説明する図、図８は、ＩＣタグ付着端末のＩＣタグにデータを登録する画面の構成を説明する図、図９は、調整モード画面の構成を説明する図、図１０は、環境設定画面の構成を説明する図、図１１は、制御データを格納したシステムファイルの構成を説明する図、図１２は、通知ファイルの構成を説明する図、図１３は、通知ファイルのファイル名の末尾に使用する連番を管理するファイルの構成を説明する図、図１４は、通知先端末に送信されるデータの内容を説明する図、図１５は、本発明の位置情報送信手段の構成を説明する図、図１６は、本発明の移動状況送信手段の構成を説明する図、図１７は、本発明の警告メッセージ送信手段の構成を説明する図、図１８は、本発明の通報手段の構成を説明する図、図１９は、本発明の呼出手段の構成を説明する図である。
【００３３】
先ず、本発明の入退室記録通知システムの全体構成を図１に基づいて説明する。
ＩＣタグ付着端末１は、本システムを導入した塾に通う子供全員に与えられており、ＩＣタグには、塾生を特定するためのＩＤ情報が記録されている。
【００３４】
非接触卓上リーダー・ライター２は、ＩＣタグ付着端末１のＩＣタグにデータを初期登録したり、登録された情報を読み取ったり、内容を変更するための装置である。本システムを導入した塾では、塾の教室に入退室する際に、ＩＣタグ付着端末１を非接触卓上リーダー・ライター２にかざすように規則が決められており、これによって入退室データの記録を取るようにしている。従って、非接触卓上リーダー・ライター２は、例えば、塾の建物の出入り口付近、教室の出入り口付近などに設置することが好ましい。なお、本実施例の卓上リーダー・ライター２は、非接触式のものであって、読み取り作業をスムーズに行えるため、塾生が多い場合でも出入り口で混乱をきたすことはない。
【００３５】
入退室記録通知システム３は、コンピュータ装置に実装され、後述するように、子供のＩＤ情報と、保護者が所有する携帯電話機７などの通知先端末のアドレス情報を読み取る読取手段、画像撮影手段、通知ファイル作成手段、送信手段を実行する。Ｗｅｂカメラ４は、入退室記録通知システム３からの指示を受けて、子供の顔、上半身などを撮影し、画像データを作成する装置である。
【００３６】
なお、通知先端末のアドレス情報は、ＩＣタグ付着端末１のＩＣタグに記録することも可能であるが、本実施例では、ＩＤ情報とアドレス情報の対応を記録したデータベースを別途設けるようにしている。このようにすれば、例えば、祖母が子供の面倒を見る特定の日は、通知先端末のアドレス情報を変更したいという要望に対しても、データベースを更新するだけで、簡単にアドレス情報の変更ができるからである。また、このデータベースに、例えば、塾に登校した時のみ通知する、塾から下校した時のみ通知する、登校時と下校時の両方通知する等の通知ルールを記録するようにして、その通知ルールに従って入退室記録を送信するように構成してもよい。
【００３７】
３１は、入退室記録通知システム３をインターネット５に接続するためのターミナルアダプタ装置を示している。サーバ６は、入退室記録通知システム３より、子供の画像データを受信して登録するとともに、その登録したデータのＵＲＬアドレスを保護者の携帯電話７に向けて送信する。この保護者の携帯電話７は、インターネット５を介してサーバ６からメールを受信することが可能なものである。これによって、子供が塾に到着したことを知った保護者は、メールに表示されているＵＲＬアドレスにアクセスして画像データファイルを読み込み、塾に到着したときの子供の様子を眼で見て確認することができる。
【００３８】
次に、図２に基づいて、本発明の入退室記録通知システム３の処理概要を説明する。
先ず、本システムには、運転モード３２、調整モード３３、システム環境設定３４の、３つの機能モードがある。
【００３９】
運転モード３２は、通常使用する機能で、ＩＣタグの情報その他の情報を読み取る読取手段３ａ、Ｗｅｂカメラ４に子供の顔、上半身などの撮影を指示し、画像ファイル３ｂ１を作成する画像撮影手段３ｂ、この画像データをもとにサーバ６に送信するための通知ファイル３ｃ１を作成する通知ファイル作成手段３ｃ、サーバ６へのデータ送信を定期的に実行する送信手段３ｆ等から構成される。なお、３ｅは、入退室データの履歴を記録するログファイルを示している。
【００４０】
画像撮影手段３ｂは、読取手段３ａの実行を契機として実行され、子供がＩＣタグ付着端末１を非接触卓上リーダー・ライター２に読み取らせた直後の様子を撮影して、施設に入退室するその瞬間の子供の様子を保護者に伝えるようにしている。また、通知ファイル作成手段３ｃと、送信手段３ｆを、別タスクで効率的に実行させるために、本実施例では、キューテーブル３ｄ１を作成する通知キューテーブル作成手段３ｄを設けている。
【００４１】
調整モード３３は、非接触卓上リーダー・ライター２を使用して、ＩＣタグ登録３ｈをしたり、ＩＣタグの読み込みテストや、Ｗｅｂカメラ調整３ｇなどを行う機能である。また、システム環境設定機能３４は、システムの各種環境の設定を行う機能であり、通信ポート設定３ｊ、本社サーバ設定３ｋ、ログ設定３ｍ等の機能から構成される。
【００４２】
次に、本発明の入退室記録通知システム３のメイン画面とメニューバーの構成を、図３〜図４に基づいて説明する。子供の顔、上半身などのカメラ画像を表示する領域Ａ１は、Ｗｅｂカメラ４が撮影した画像を表示するものである。タブＡ２は、現在の運転状況と、過去のログ表示を切り替えて表示するためのものであり、図３では、現在の運転状況が表示されている。なお、運転履歴を表示する領域Ａ３は、入室時刻が新しいものが上になるように表示されている。
【００４３】
メニューバーには、「ファイル（Ｆ）」、「動作モード（Ｍ）」、「調整（ｃ）」、「環境設定（Ａ）」、「ヘルプ（Ｈ）」の項目がある。図４（ａ）に示すように、「ファイル（Ｆ）」は、システムを終了するときに選択する。また、図４（ｂ）に示すように、「動作モード（Ｍ）」は、前述した運転モード３２と、調整モード３３を切り換えるためのメニューである。
【００４４】
「調整（ｃ）」は、図４（ｃ）に示すように、調整モード３３において、動作テストを行ったり、Ｗｅｂカメラ調整３ｇを行うときに選択する。「環境設定（Ａ）」は、図４（ｄ）に示すように、通信ポート設定３ｊ、本社サーバ設定３ｋ、ログ設定３ｍを行うためのメニューである。なお、「ヘルプ（Ｈ）」には、図４（ｅ）に示すように、バージョン情報等が表示されている。
【００４５】
次に、図２及び図５〜図６に基づいて、通知先端末に送信する通知ファイル３ｃ１のデータを作成する手順とキューテーブル３ｄ１の構成について説明する。
先ず、図２、図５に示すように、読取手段３ａがＩＣタグから読み取った情報は、ＩＣタグ情報ファイル３ａ１に記録される。また、画像撮影手段３ｂにより取り込んだ子供の顔、上半身などの画像データは、日付と連番を組み合わせたファイル名で、画像ファイル３ｂ１として記録される。
【００４６】
通知ファイル作成手段３ｃは、ＩＣタグ情報ファイル３ａ１と画像ファイル３ｂ１のデータを組み合わせて、通知ファイル３ｃ１を作成する。このとき、画像データはＪＰＧ形式に変換し、ファイル名は日付と連番を組み合わせたものとしている。送信手段３ｆは、定期的に起動され、キューテーブル３ｄ１に送信すべき通知ファイルのエントリが存在するときは、サーバ６に通知ファイルを送信する。
【００４７】
このキューテーブル３ｄ１の構成を示したものが図６であり、本実施例では、キューの総サイズは１２８としている。図６では、キューＩＮ側は、通知ファイル作成手段３ｃであり、キューＯＵＴ側は、送信手段３ｆである。
【００４８】
今、仮に、キューＩＮポインタがＰ１の位置を、キューＯＵＴポインタがＰ３の位置を示しているとした場合、通知ファイル作成手段３ｃから新規のデータエントリがあると、通知キューテーブル作成手段３ｄは、キューＩＮポインタを＋１したＰ２の位置に、そのデータを登録するとともに、キューＩＮポインタを＋１して、Ｐ２の位置に設定するように動作する。
【００４９】
次に、送信手段３ｆが起動されたとき、キューＯＵＴ側は、キューＩＮポインタの位置Ｐ２と、キューＯＵＴポインタの位置Ｐ３が、Ｐ２＞Ｐ３となっていて一致しないため、未送信データがあることを検出し、Ｐ２の位置に登録されたデータを送信処理するとともに、キューＯＵＴポインタを＋１して、Ｐ４の位置に設定するように動作する。
【００５０】
このようにして、未送信の通知ファイルを検出して送信するように構成したので、本実施例のシステムでは、通知ファイル作成手段３ｃと、送信手段３ｆを、別タスクで効率良く動作させることができる。
【００５１】
次に、ログファイル３ｅに記録するデータを一時的に保存しているログテーブルの構成を、図７に基づいて説明する。本システムでは、ログファイル３ｅへの出力は、入退室のデータが両方揃ったときに行うようにし、ファイルに出力するまでの間は、図７のログテーブルにデータを保存するようにしている。
【００５２】
入室時は、ログ管理ポインタＬ１が示す位置に、読取手段３ａが読み取った日付Ｌ２、入室時刻Ｌ３、ＩＤ情報Ｌ５の情報が記録され、ログ管理ポインタＬ１は＋１される。次に、退室時は、退室時に実行された読取手段３ａが読み取ったＩＤ情報をキーとして図７のテーブルを検索し、該当するデータがあれば、そのデータの退室時刻の項目にデータを登録する。そして、入退室の時刻が両方揃ったデータは、ログファイル３ｅへの書き込みが行われる。
【００５３】
なお、本実施例では、システム終了時、その他の任意の時点で、ログテーブルにおいて退室時刻のデータが記録されていないデータを抽出し、そのデータをコンピュータの画面やプリンタ装置に出力する手段を設けている。このようにすれば、施設に入室した記録はあるが退室した記録のない被保護者を、任意の時点で抽出することができ、保護者からの電話等による問い合わせの対応を容易かつ迅速にできるからである。
【００５４】
次に、ＩＣタグ付着端末のＩＣタグにデータを登録するための画面を、図８に基づいて説明する。図８（ａ）の画面は、前述した図４（ｃ）のメニューバーの「調整（Ｃ）」「ＩＣタグ読み込み」メニューから起動されるものである。ＩＣタグ付着端末１を非接触卓上リーダー・ライター２にかざすと、そのＩＣタグの情報が読み取られて、図８（ａ）のＢ１の領域に示すように、４文字ずつ４列１１行に表示される。このようにしたのは、画面上でデータを見易くし、読み間違いを防止するためである。
【００５５】
図８（ｂ）の画面は、図４（ｃ）のメニューバーの「調整（Ｃ）」「ＩＣタグ登録」メニューから起動されるものである。ＩＣタグ付着端末１を非接触卓上リーダー・ライター２にかざした状態で、書込みボタンをクリックすると、その時点でＢ２の領域に入力されていたデータをＩＣタグに登録することができる。
【００５６】
次に、本発明の入退室記録通知システム３の調整モード画面を、図９に基づいて説明する。調整モード画面には、Ｗｅｂカメラ４が撮影した画像データを表示する領域Ｃ１が設けられている。このようにすれば、子供の表情を最も良く捉えることのできるカメラの位置や設定を、実際の画像を見ながら微調整することができるからである。
【００５７】
Ｃ２は、動作テストの履歴が表示される領域であり、転送テスト結果が「ＯＫ」であったか、「ＮＧ」であったかが分かるようになっている。Ｃ３は、この動作テストの履歴をクリアするときにクリックするボタンである。また、Ｃ４のチェックボックスは、サーバ６への送信テストを含めて動作確認するか否かを指定するボックスである。
【００５８】
次に、本発明の入退室記録通知システム３の環境設定画面と、その画面から登録するデータが記録されるシステムファイルの構成を図１０〜図１１に基づいて説明する。図１０（ａ）の画面は、図４（ｄ）のメニューバーの「環境設定（Ａ）」「通信ポート設定」メニューから起動されるものである。この画面は、周辺機器である非接触卓上リーダー・ライター２や、Ｗｅｂカメラ４のポート番号を設定するためのものである。この画面から登録されたデータは、図１１のシステムファイルの「ＲＦＩＤ＿Ｐｏｒｔ」「Ｃａｍｅｒａ＿Ｐｏｒｔ」の項目にセットされる。
【００５９】
図１０（ｂ）の画面は、図４（ｄ）のメニューバーの「環境設定（Ａ）」「本社サーバ設定」メニューから起動されるものである。この画面は、サーバ６のＩＰアドレスを登録するためのものである。この画面から登録されたデータは、図１１のシステムファイルの「Ｓｅｒｖｅｒ＿ＩＰ＿Ａｄｄｅｒ」の項目にセットされる。
【００６０】
また、図１０（ｃ）の画面は、図４（ｄ）のメニューバーの「環境設定（Ａ）」「ログ設定」メニューから起動されるものである。この画面は、ログファイル３ｅに履歴を記録するか否かを選択する画面である。本実施例では、このログ設定画面に、ログデータの削除処理を実行する日付を、例えば「７日」「１０日」「１５日」「２０日」「３０日」のプルダウンメニューの中から指定可能とする入力項目Ｄ１を設けるとともに、すでに記録済みのログデータの削除処理を実行するためのログ整理ボタンＤ２を設けている。このようにすれば、ログデータの管理が自動化されて容易となるとともに、すでに記録済みのログデータも簡単に整理できるからである。なお、この画面から登録されたデータは、図１１のシステムファイルの「Ｌｏｇ」の項目にセットされる。
【００６１】
次に、図１２〜図１３に基づいて、通知ファイル３ｃ１の構成と、そのファイル名の末尾に使用する連番を管理するファイルの構成について説明する。通知ファイル３ｃ１の構成は、図１２に示すように、２バイトの識別情報を格納する領域Ｅ１と、ＩＣタグから読み取った情報を格納する４４バイトの領域Ｅ２と、ＪＰＧ形式に変換された画像ファイルを格納する領域Ｅ３とからなる。なお、Ｅ１の領域には、例えば、テストデータは「０」入室時データは「１」、退室時データは「２」が格納される。
【００６２】
通知ファイル３ｃ１のファイル名は、日付（ｙｙｍｍｄｄ）と４桁の連番を結合したものを採用している。この４桁の連番は、システム側で割り当てる必要があるので、新しい番号を付けるときは、図１３のファイルに登録して番号を管理するようにしている。
【００６３】
図１４は、通知先端末に送信されるデータの内容を説明する図である。先ず、子供が塾に到着したときは、図１４（ａ）に示すようなデータが、保護者の携帯電話７に送信される。そこで、保護者は、子供が事故に遭うことなく無事に塾に到着したことを確認することができる。また、子供が塾を出たときは、図１４（ｂ）に示すようなデータが、保護者の携帯電話７に送信されるので、保護者は、子供の帰宅時刻に合わせて風呂や食事の準備をすることができる。
【００６４】
また、本発明では、子供の顔、上半身などを撮影した画像を併せて確認することができるから、保護者は、塾に行く途中で化粧をしたり、派手な服装に着替えるなど非行の兆候が見られないかといった不安を抱くこともなくなる。また、画像付きであるため、友人にＩＣカードを貸し渡して代理出席を依頼することも不可能となる。
【００６５】
なお、本実施例では、図１４に示すように、サーバ６は、画像ファイルのデータのＵＲＬアドレスを送信するように構成している。このようにすれば、通知先端末に記憶容量の大きい画像ファイルのデータを送信する必要がなくなり、通知先端末の性能を低下させることがないからである。なお、保護者は、携帯電話７に表示されているＵＲＬアドレスＦ１、Ｆ２に、インターネット経由でアクセスすることにより、サーバ６に登録された子供の画像を確認することとなる。
【００６６】
次に、図１５〜図１７に基づいて、本発明の位置情報送信手段、移動状況送信手段、警告メッセージ送信手段の構成を説明する。先ず、図１５において、１１は、ＧＰＳ衛星からの電波に基づいて位置情報を取得するＧＰＳ部を備えたＩＣタグ付着端末を、５１は、パケット通信方式でデータの送受信が行えるデータ通信サービス網を、６１は、ＡＳＰサーバを示している。
【００６７】
図１５のシステムでは、保護者は、子供の現在位置を確認したいときは、通知先端末７から、位置情報送信リクエストＧ１を、ＡＳＰサーバ６１に向けて送信する。ＩＣタグ付着端末１１は、データ通信サービス網５１を経由して位置情報送信リクエストを受信すると（Ｇ２〜Ｇ３）、そのリクエストに応じて、ＧＰＳ部によって取得された位置情報を送信する位置情報送信手段を実行する。送信された位置情報は、データ通信サービス網５１とＡＳＰサーバ６１を経由し（Ｇ４〜Ｇ５）、保護者の通知先端末７に送信される（Ｇ６）。このように、図１５のシステムでは、保護者は、被保護者の入退室記録だけでなく、被保護者の現在位置情報（Ｇ７）も正確に知ることができる。
【００６８】
また、図１６のシステムでは、ＡＳＰサーバ６１は、通知先端末７より受信した移動状況送信リクエスト（Ｈ１）に応じて、ＩＣタグ付着端末１１に向けて、移動状況送信リクエストを所定の時間間隔を空けて複数回送信する（Ｈ２〜Ｈ３）。これに対して、ＩＣタグ付着端末１１は、位置情報を返信する（Ｈ４〜Ｈ５）。すなわち、図１６において、Ｈ２〜Ｈ３、Ｈ４〜Ｈ５の間は、データの送受信が複数回繰り返される。これにより、ＡＳＰサーバ６１は、ＩＣタグ付着端末１１の単位時間あたりの移動距離（移動速度）を計算し、その移動速度を通知先端末７に送信する（Ｈ６）。
【００６９】
このようにしたので、図１６のシステムでは、保護者は、被保護者の位置情報だけでなく、被保護者の移動状況も知ることができ（Ｈ７）、これにより、被保護者が、現在、ある場所に静止しているのか、歩行中であるのか、バス、電車などの乗り物に乗っているのかを知ることができる。
【００７０】
また、図１７のシステムでは、ＡＳＰサーバ６１は、設定された中心位置から所定の距離を越えると警告メッセージを発信する指定エリア（Ｊ８）を、予め登録する手段を有している。ＩＣタグ付着端末１１は、通知先端末７からのリクエスト（Ｊ１〜Ｊ３）や、定期的に自動起動されるリクエスト（Ｊ２〜Ｊ３）に応じて、位置情報を返信する（Ｊ４〜Ｊ５）。
【００７１】
図１７のシステムにおいて、ＩＣタグ付着端末１１より受信した位置情報が、予め登録された指定エリアから逸脱したときは、ＡＳＰサーバ６１は、Ｊ７に示すような所定の警告メッセージを通知先端末７に送信する（Ｊ６）。このような、警告メッセージ送信手段を設けたので、図１７のシステムでは、保護者は、被保護者が指定エリアから逸脱する予定外の行動をとったことをいち早く知ることができる。
【００７２】
次に、図１８〜図１９に基づいて、本発明の通報手段、呼出手段の構成を説明する。先ず、図１８において、ＩＣタグ付着端末１１は、ＧＰＳ衛星からの電波に基づいて位置情報を取得するＧＰＳ部を備えるとともに、このＩＣタグ付着端末１１を所持する子供に緊急事態が発生したときに、ＩＣタグ付着端末１１からの操作に基づいて、所定のメッセージを、データ通信サービス網５１及びＡＳＰサーバ６１を経由して通知先端末７に送信する通報手段（Ｋ１〜Ｋ３）を備えたものである。このようにしたので、ＩＣタグ付着端末１１を所持する子供は、トラブルや事件に巻き込まれそうになったときは、緊急事態の発生を、自分の位置情報とともに、いち早く保護者に通報することができる（Ｋ４）。
【００７３】
また、図１９のシステムは、通知先端末７からの操作に基づいて、所定の呼び出しメッセージを、ＡＳＰサーバ６１及びデータ通信サービス網５１を経由して、ＩＣタグ付着端末１１に送信する呼出手段（Ｍ１〜Ｍ３）を備えたものである。このようにしたので、図１９のシステムでは、保護者の側から被保護者を呼び出すことも可能となる。
【００７４】
なお、本発明は、上記した各手段をコンピュータ装置に実行させるためのステップにより構成されるプログラムを含むものである。本発明の各手段は、記憶媒体に格納されたそのプログラムを、コンピュータ装置が読み出して実行することにより実現されるものである。
【００７５】
上記プログラムを供給するための記憶媒体としては、例えば、磁気ディスク、ＣＤ−ＲＯＭ、ＤＶＤ、光ディスク、磁気テープ、不揮発性のメモリカード等を使用することができる。
【産業上の利用可能性】
【００７６】
本発明の入退室記録通知システムは、塾だけでなく、学校、予備校、習い事の教室などの教育施設にも適用できる。また、子供の教育施設だけでなく、デイサービス等を行っている老人養護施設などにおいても利用可能である。
【図面の簡単な説明】
【００７７】
【図１】本発明の入退室記録通知システムの全体構成を説明する図である。
【図２】本発明の入退室記録通知システムの処理概要を説明する図である。
【図３】メイン画面の構成を説明する図である。
【図４】図３のメニューバーの説明図である。
【図５】通知ファイルのデータを作成する手順を説明する図である。
【図６】キューテーブルの構成を説明する図である。
【図７】ログテーブルの構成を説明する図である。
【図８】ＩＣタグ付着端末のＩＣタグにデータを登録する画面の構成を説明する図である。
【図９】調整モード画面の構成を説明する図である。
【図１０】環境設定画面の構成を説明する図である。
【図１１】制御データを格納したシステムファイルの構成を説明する図である。
【図１２】通知ファイルの構成を説明する図である。
【図１３】通知ファイルのファイル名の末尾に使用する連番を管理するファイルの構成を説明する図である。
【図１４】通知先端末に送信されるデータの内容を説明する図である。
【図１５】本発明の位置情報送信手段の構成を説明する図である。
【図１６】本発明の移動状況送信手段の構成を説明する図である。
【図１７】本発明の警告メッセージ送信手段の構成を説明する図である。
【図１８】本発明の通報手段の構成を説明する図である。
【図１９】本発明の呼出手段の構成を説明する図である。
【符号の説明】
【００７８】
３  入退室記録通知システム
３ａ  読取手段
３ｂ  画像撮影手段
３ｂ１  画像ファイル
３ｃ  通知ファイル作成手段
３ｃ１  通知ファイル
３ｄ１  キューテーブル
３ｅ  ログファイル
３ｆ  送信手段
【図１】
2006018407.tif 000003
【図２】
2006018407.tif 000004
【図３】
2006018407.tif 000005
【図４】
2006018407.tif 000006
【図５】
2006018407.tif 000007
【図６】
2006018407.tif 000008
【図７】
2006018407.tif 000009
【図８】
2006018407.tif 000010
【図９】
2006018407.tif 000011
【図１０】
2006018407.tif 000012
【図１１】
2006018407.tif 000013
【図１２】
2006018407.tif 000014
【図１３】
2006018407.tif 000015
【図１４】
2006018407.tif 000016
【図１５】
2006018407.tif 000017
【図１６】
2006018407.tif 000018
【図１７】
2006018407.tif 000019
【図１８】
2006018407.tif 000020
【図１９】
2006018407.tif 000021